(57)【特許請求の範囲】
【請求項１】
特にバルク螺子タイプの、小骨手術用自己タッピング螺子であって、螺刻されている近位頭部(２)と、螺刻されている遠位軸部(３)と、カニューレの態様の内部通路(４)とを具備しており、近位頭部における螺子山のピッチは、遠位軸部における螺子山のピッチよりも小さい、ものにおいて、
遠位軸部(３)が、螺刻されている近位頭部(２)と合するようにして、その全長に亘って螺刻されており、
遠位軸部の螺子山の遠位端部が、角的に等距離の自己タッピング面(５,５ａ,６,６ａ)を初めの複数の螺子山上に形成している被切削部に加えて、角的に等距離の面(９,５ａ〜１０,６ａ)を螺子の縦軸の周りに形成している少なくとも２つの被切削部を有しており、これらの被切削部は、カニューレ型の内部通路と共に、少なくとも２つのノッチ(１１)をその内部通路の端部に形成しており、遠位軸部の遠位端部は、更に、螺子の遠位端部における少なくとも２つの自己ボーリング縁部(５ｂ,６ｂ)を有しており、且つ
近位頭部の螺子山の遠位端部が、角的に等距離の自己タッピング面(１２〜１５,１２ａ〜１５ａ)を初めの複数の螺子山上に形成している被切削部に加えて、角的に等距離の面取りされた面(１６〜１９)を形成している被切削部であって、遠位軸部の螺子山に続いている狭い溝(２ｂ)によって先行されているボーリング縁部(１２ｂ〜１５ｂ)を形成しているものを有している、
ことを特徴とする自己タッピング螺子。
【請求項２】
自己タッピング被切削部(５,６)が、被切削部(９,１０)であって、ノッチ(１１)を形成しており且つ共通の垂直面(５ａ,６ａ)をもそれぞれ形成しているものによって先行されており、且つ、角的にオフセットされている被切削部(７,８)が、前記垂直面(５ａ,６ａ)と共に、前記切削縁部(５ｂ,６ｂ)を形成していることを特徴とする請求項１の自己タッピング螺子。
【請求項３】
寸法が、以下の範囲であって、
−螺子の長さ：１０ｍｍ〜６０ｍｍ
−近位頭部の長さ：５〜１０ｍｍ
−遠位軸部の螺子山のピッチ：１〜３ｍｍ
−近位頭部の螺子山のピッチ：０.８〜２.５ｍｍ
−遠位軸部(螺子山の頂)の直径：２.５〜５ｍｍ
であるものの中にあることを特徴とする請求項１の自己タッピング螺子。
【請求項４】
複数の請求項１の自己タッピング螺子であって、種々の寸法を有しているものから成る、自己タッピング螺子のセット。
【請求項５】
それが、多数の自己タッピング螺子であって、それらの長さは異なるが、直径又は直径方向のサイズ並びに自己ボーリング能力及び自己タッピング能力については同じ特性を有しているものを含んでいることを特徴とする請求項４の自己タッピング螺子のセット。
【請求項６】
特にバルク螺子タイプの、小骨手術用自己タッピング螺子であって、螺刻されている近位頭部(２)と、螺刻されている遠位軸部(３)と、カニューレの態様の内部通路(４)とを具備しており、近位頭部における螺子山のピッチは、遠位軸部における螺子山のピッチよりも小さい、ものにおいて、
遠位軸部(３)が、螺刻されている近位頭部(２)と合するようにして、その全長に亘って螺刻されており、
遠位軸部の遠位端部が、被切削部であって、角的に等距離の自己タッピング面(５,５ａ,６,６ａ)を初めの複数の螺子山上に形成しているものと、前記自己タッピング面(５,５ａ,６,６ａ)の先にある少なくとも２つの被切削部であって、角的に等距離の面(９,５ａ〜１０,６ａ)を螺子の縦軸の周りに形成しており且つタッピング面と共通の垂直面(５ａ,６ａ)をそれぞれ有しているものとを有しており、これらの被切削部は、カニューレ型の内部通路と共に、少なくとも２つのノッチ(１１)をその内部通路の端部に形成しており、遠位軸部の遠位端部は、更に、角的にオフセットされている被切削部(７,８)であって、前記垂直面(５ａ,６ａ)と共に、少なくとも２つの自己ボーリング切削縁部(５ｂ,６ｂ)を螺子の遠位端部に形成しているものを有しており、且つ
近位頭部の螺子山の遠位端部が、角的に等距離の自己タッピング面(１２〜１５,１２ａ〜１５ａ)を初めの複数の螺子山上に形成している被切削部に加えて、角的に等距離の面取りされた面(１６〜１９)を形成している被切削部であって、遠位軸部の螺子山に続いている狭い溝(２ｂ)によって先行されているボーリング縁部(１２ｂ〜１５ｂ)を形成しているものを有している、
ことを特徴とする自己タッピング螺子。
【請求項７】
寸法が、以下の範囲であって、
−螺子の長さ：１０ｍｍ〜６０ｍｍ
−近位頭部の長さ：５〜１０ｍｍ
−遠位軸部の螺子山のピッチ：１〜３ｍｍ
−近位頭部の螺子山のピッチ：０.８〜２.５ｍｍ
−遠位軸部(螺子山の頂)の直径：２.５〜５ｍｍ
であるものの中にあることを特徴とする請求項６の自己タッピング螺子。
【請求項８】
複数の請求項６の自己タッピング螺子であって、種々の寸法を有しているものから成る、自己タッピング螺子のセット。
【請求項９】
それが、多数の自己タッピング螺子であって、それらの長さは異なるが、直径又は直径方向のサイズ並びに自己ボーリング能力及び自己タッピング能力については同じ特性を有しているものを含んでいることを特徴とする請求項８の自己タッピング螺子のセット。
【発明の詳細な説明】
【０００１】
【発明の属する技術分野】
本発明は、小さい骨、特に足の骨の手術に使用される自己タッピング螺子に関する。
【０００２】
【従来の技術】
小さい骨の手術においては、バルク(Barouk)螺子として知られている螺子のような螺子が使用される、ということは、知られており、そのバルク螺子は、螺刻されている近位頭部と螺刻されている遠位軸部とを具備している。近位頭部の螺子山は、遠位軸部の螺子山よりも小さいピッチを有しており、もって、２つの螺子山のピッチ間の差異による、螺子の自己圧縮(即ち、螺入する螺子が骨の２つの小片を圧縮すること)が、引き起こされ、これにより、それらの骨の２つの小片は、骨接合される。また、この螺子は、カニューレを有していると共に、頭部の螺子山及び遠位軸部の端部の螺子山に作られているノッチにより、自己タッピングを行なう。最後に、頭部の螺子山の直径は、遠位軸部の螺子山の直径よりも大きい。
【０００３】
この種の螺子は、通常、チタンで作られている。
【０００４】
バルク螺子は、螺刻されている頭部と螺刻されている遠位軸部の開始地点との間に、狭い平坦な中間ゾーンを有している。この平坦な中間ゾーンであって、遠位軸部の螺子山の直径と同一の直径を有しているものは、通常、骨接合術のラインの各側にあり、これにより、螺刻されている遠位軸部が骨の中に入るのを終了する際に、穴の骨質壁を傷付けることなく、骨の２つの小片が互いに他方に対して圧縮されるのを可能にする。
【０００５】
【発明が解決しようとする課題】
フランス出願ＦＲ−Ａ−２７２２０８６号は、同様の螺子を記載しており、この螺子においては、中間部分であって、その直径が遠位螺子山の直径よりも僅かに小さいものは、より狭くてもよく又は殆ど欠いていてもよい。しかしながら、この螺子は、遠位螺子山及び近位螺子山の谷底と同様の直径を有している穴を、ドリルビットを用いて、前もって開けておくことを必要とし、その後、螺子の螺子山が、自己タッピング機能を果たす。
【０００６】
本発明の目的は、これらの不利益を有していない螺子であって、少なくとも或る場合には、螺子の谷底の直径を有している穴を前もって開けておくことなく、螺子が螺入させられるのを可能にするものを提供することである。
【０００７】
本発明の別の目的は、このタイプの螺子であって、自己タッピング及び自己ボーリングに関して特に良く働くものを提供することである。
【０００８】
本発明の更に別の目的は、各具体的ケースに最も良く合っている螺子を供給するのに特に合っている螺子のセットを提供することである。
【０００９】
【課題を解決するための手段】
本発明によれば、自己タッピング螺子が提供され、この自己タッピング螺子は、遠位軸部が、螺刻されている頭部と合するようにして、その全長に亘って螺刻されており、螺子が、カニューレの態様の内部通路を有しており、遠位軸部の遠位端部が、初めの複数の螺子山上の自己タッピング被切削部に加えて、螺子の縦軸の周りで角的に等距離である少なくとも２つの被切削部を有しており、これらの被切削部は、カニューレ型の内部通路と共に、少なくとも２つのノッチをその内部通路の端部に且つ少なくとも２つの自己ボーリング縁部を螺子の遠位端部に形成しており、且つ、近位頭部の螺子山の遠位端部が、初めの複数の螺子山上の自己タッピング被切削部に加えて、角的に等距離の面取りされた被切削部であって、遠位軸部の螺子山に続いている狭い逃げ溝内へ向いているボーリング縁部を形成しているものを有していることを特徴としている。
【００１０】
好適に、本発明に係る螺子の寸法は、
−螺子の長さ：１０ｍｍ〜６０ｍｍ
−近位頭部の長さ：５〜１０ｍｍ
−遠位軸部の螺子山のピッチ：１〜３ｍｍ
−近位頭部の螺子山のピッチ：０.８〜２.５ｍｍ
−遠位軸部(螺子山の頂)の直径：２.５〜５ｍｍ
の範囲内にある。
【００１１】
本発明の別の主題は、種々の寸法を有している複数のそれらの螺子のセットであり、そして、特に好適な特徴によると、そのようなセットは、多数の螺子であって、それらの長さは異なるが、直径又は直径方向のサイズ並びに自己ボーリング能力及び自己タッピング能力については同じ特性を有しているものを含んでいる。
【００１２】
【発明の実施の形態】
図１に示されている螺子が、小さい骨(特に、足の骨)の手術用に意図されている。
【００１３】
その螺子１は、螺刻されている近位頭部２と、螺刻されている遠位軸部３とを具備している。遠位軸部３は、その長さ全体に亘って螺刻されていると共に、狭い逃げ溝２ｂを介して、螺刻されている頭部２に直接接続されており、もって、頭部２と遠位軸部３との間には、平坦な中間部分は、存在しない。
【００１４】
軸方向の管状通路４が、螺子１の長さ全体に亘って形成されており、その両端部において、自由に開口している。頭部２においては、管状通路４は、螺子回し(図示せず)の端部を捕捉すべく付形されている六角形のソケット２０内へ開口しており、管状通路４とソケット２０とは、螺子１全体の縦軸と同軸である。頭部２の直径は、遠位軸部３の直径よりもかなり大きく、そして、頭部２の螺子山２ａは、遠位軸部３の螺子山３ａのピッチよりも狭いピッチを有している。
【００１５】
従って、螺子は、本質的に２つの部分、即ち、より長い遠位部分であって、第１のピッチを有している円筒状の螺子山を備えているものと、より大きい直径の螺子山を備えている頭部部分であって、遠位部分のピッチよりも狭いピッチを有しているものとを有している、ということが、理解されよう。
【００１６】
近位頭部２は、その前端部に、上述した狭い逃げ溝２ｂを有しており、この逃げ溝２ｂ内へ、頭部２の自己ボーリング手段が、向いている。
【００１７】
好適に、螺子山の前方フランク(即ち、遠位端部に面しているフランク)は、前方に傾斜している一方、後方フランクは、実質的に螺子の軸に垂直である。
【００１８】
好適に、同じ事が、螺子山２ａについても言える。
【００１９】
本発明により、角的に等距離の２つの被切削部が、遠位軸部３の螺子山の遠位端部に作られている。それらの被切削部は、以下のようにして得られる。
【００２０】
先ず、例えば、螺子山を生成する前は、螺子の遠位端部は、円錐形であり、この場合、螺子の縦軸に対する円錐角は、βである。次いで、螺子旋削作業が、近位部及び遠位部の螺子山２ａ,３ａを生成すべく実行され、これらの螺子山は、上述したように、異なるピッチを有している。
【００２１】
次いで、半径Ｒのフライスの２回のパスが、遠位軸部３の遠位端部(即ち、自由端部)においてなされ、各パスは、螺子の縦方向の幾何学的な軸を中心として１８０°だけ他方からずらされている。図１は、そのパスが、初めの２つの螺子山を横切り且つ３番目の螺子山の頂に極僅かだけ衝突する、ということを示している。フライスの半径Ｒ及びフライスの中心位置は、得られる面５又は面６が、管状通路４を横切らず、僅かにその外側に留まるようなものである。これらの被切削部は、また、２つの面５ａ,６ａであって、面５及び６に垂直であり且つ螺子の軸に平行であるものをも形成しており、これにより、初めの２つの螺子山から成る自己タッピングセクションが、形成されている。
【００２２】
軸に対してαだけ傾斜させられている、２つの平坦な被切削部も、先の被切削部に続いて、作られており、これらの２つの平坦な被切削部は、面９及び面１０を形成しており、これらの面９及び面１０は、管状通路４の穴の内面を横断してノッチ１１を形成している。面９及び面１０を形成している被切削部は、垂直な面をも形成しており、これらの垂直な面は、面５ａ,６ａの遠位連続部を正確に形成している。
【００２３】
次に、螺子を回動させて、面７及び面８を決定する２つの被切削部が、生成され、それらの面７及び面８も、螺子の幾何学的な軸に対して傾斜させられている。面８及び面５ａの間の交差部が、遠位端部に、小さい自己ボーリング切削縁部５ｂを形成していると共に、面７及び面６ａの間の交差部が、遠位端部に、小さい自己ボーリング切削縁部６ｂを形成している。
【００２４】
従って、螺子が前進するにつれて、骨組織内への自己タッピング及び自己ボーリングを達成することが、可能である。それらの縁部によってもたらされる自己ボーリング能力は、少なくとも或るタイプの骨に対しては、前もって骨に穴を開けておくことを不要にし得るに十分であり、このことは、特に、本発明に係る螺子であって、最も小さい直径を有しているものについて言える。
【００２５】
近位頭部２であって、逃げ溝２ｂに向かって細くなる、傾きγの円錐部を最初に有しているものの螺子山２ａに、自己タッピング端部を与えるべく、９０°だけ角的にずらされている４つの被切削部が、半径Ｒ′のフライスを用いて生成される。図１及び図８に認められ得るように、半径Ｒ′のフライスのパスは、おおよそ２つの螺子山を横切り、これにより、面１２,１３,１４,１５であって、それらの垂直なタッピング面１２ａ,１３ａ,１４ａ,１５ａを備えているものが、形成され、これらの面は、特に図８及び図９に認められ得るように、螺子の軸に対して傾きδの４つの平坦な被切削部であって、面１６,１７,１８,１９を形成しているものにより、補われている。そして、それらの面１６〜１９の縁部であって、面１２ａ〜１５ａと共に形成されているものが、自己ボーリング作用を可能にするボーリング切削縁部１２ｂ〜１５ｂを構成している。
【００２６】
頭部２は、実際上は逃げ溝２ｂで終端しているその自己ボーリング縁部を介して、自己ボーリングを実行し、その自己ボーリングは、螺刻されている遠位軸部３によってタップを立てられている骨における螺子山で開始し、そして、被切削部１２,１３,１４,１５によって形成されている螺子山の自己タッピングセクションが作用する時に終了する、ということが、理解されよう。
【００２７】
【発明の効果】
以上のように、本発明によると、自己タッピング、自己ボーリング及び螺子込みの点において、更に、骨(例えば中足骨)の２つの破片を一体となるように圧縮保持するという点において、改良された品質を有している螺子が、提供される。
【００２８】
なお、本発明は、上述した実施形態に限定されず、種々の変形を包含し得る。
【図面の簡単な説明】
【図１】本発明に係る螺子の正面図である。
【図２】図１の螺子の軸方向断面図である。
【図３】図１の螺子の斜視図である。
【図４】図１の螺子の遠位端部の端面図である。
【図５】図１の螺子の遠位端部の斜視図である。
【図６】図４のＢ−Ｂ線に沿う、図１の螺子の前端部の軸方向拡大断面図である。
【図７】図１のＣ−Ｃ線に沿う、螺子頭部を形成している部分の直前における断面図である。
【図８】螺子頭部の斜視図である。
【図９】図７のＤ−Ｄ線に沿う、螺子頭部の断面図である。
【図１０】螺子の近位端部の端面図である。
【図１１】螺子の遠位軸部における螺子山の部分の拡大断面図である。
【図１２】螺子頭部における螺子山の部分の拡大断面図である。
【符号の説明】
１  螺子
２  頭部
２ａ  螺子山
２ｂ  逃げ溝
３  軸部
３ａ  螺子山
４  管状通路
５ｂ  自己ボーリング切削縁部
６ｂ  自己ボーリング切削縁部
１１  ノッチ
１２ｂ  ボーリング切削縁部
１３ｂ  ボーリング切削縁部
１４ｂ  ボーリング切削縁部
１５ｂ  ボーリング切削縁部
２０  ソケット
【図１】
0004195586.tif 000002
【図２】
0004195586.tif 000003
【図３】
0004195586.tif 000004
【図４】
0004195586.tif 000005
【図５】
0004195586.tif 000006
【図６】
0004195586.tif 000007
【図７】
0004195586.tif 000008
【図８】
0004195586.tif 000009
【図９】
0004195586.tif 000010
【図１０】
0004195586.tif 000011
【図１１】
0004195586.tif 000012
【図１２】
0004195586.tif 000013